(57)【要約】【課題】農作物保冷庫用冷蔵ユニットにおいて、樹脂製ベースを採用しながら、外殻部分に結露が発生しないようにする。【解決手段】樹脂製ベース３における下側断熱部４の外周面を覆う部分（外気に触れる部分）は周囲の空気の温度との差が大きいために、結露が発生しやすくなるが、外装パネル１と断熱箱（下側断熱部４）との間に、圧縮機１０及び放熱器９で暖められた風で下側断熱部４の外周面を覆う部分を暖めるための風路（隙間）を設けたので、外装パネル１における断熱箱（下側断熱部４）と隣接する部分と、外装パネル１と断熱箱（下側断熱部４）との隙間が温風で暖められて、外装パネル１における樹脂製ベース３が下側断熱部４の外周面を覆っている部分と隣接する部分（断熱箱と隣接する部分）に、結露が生じにくくなる。【選択図】図１
2012211729.tif 000002
【特許請求の範囲】
【請求項１】
農産物保冷庫の天井面に設置される農産物保冷庫用冷蔵ユニットであって、圧縮機と放熱器と前記圧縮機及び前記放熱器に送風する放熱ファンとを搭載する樹脂製のベースと、前記ベースと一体に樹脂成形され冷却器の結露水を受ける露受皿と、断熱材からなり前記冷却器及び前記露受皿を囲み前記ベースによって保持される断熱箱と、前記ベースと共に前記冷蔵ユニットの外郭を構成する外装パネルとからなり、前記外装パネルと前記断熱箱との間に前記圧縮機及び前記放熱器で暖められた風で前記ベースと前記露受皿との接続部近傍を暖めるための風路を設けた農産物保冷庫用冷蔵ユニット。
【発明の詳細な説明】
【技術分野】
【０００１】
本発明は主に農産物を冷蔵するための農産物保冷庫用冷蔵ユニットの構造に関するものである。
【背景技術】
【０００２】
従来、この種の農産物保冷庫用冷蔵ユニットは、外郭構造の部分は板金で構成しているが、軽量化や部品点数の削減による合理化を目的として、特に外郭下部のベース部分に樹脂を用いて形成したものがある（例えば、特許文献１参照）。
【０００３】
以下、図面を参照しながら特許文献１に記載された従来の農産物保冷庫用冷蔵ユニットを説明する。
【０００４】
図３は特許文献１に開示された従来の農産物保冷庫用冷蔵ユニットの分解斜視図、図４は同従来の農産物保冷庫の扉を開いた状態の外観斜視図、図５は同従来の農産物保冷庫の扉を閉じた状態の外観斜視図、図６は図４のＡ−Ａ断面図、図７は図３のＢ−Ｂ断面図である。
【０００５】
従来の冷蔵ユニット２１は、外郭下部となる樹脂製ベース２２と、冷却器２３と、冷却器２３を上方から囲う上側断熱箱（図示せず）と、外郭上部となるパネル２４を備えている。
【０００６】
農作物保冷庫は、前面に扉を有した断熱性の高い保冷庫本体２５の上部に冷蔵ユニット２１を備え、冷却風を保冷庫本体２５の天面２６の開口２７から庫内に流し込むよう構成している。
【０００７】
冷蔵ユニット２１の内部構造は、底面は樹脂で整形された樹脂製ベース２２で、冷却側には保冷庫内の空気を吸い込み、冷却後、吐き出すため、箱状に形成される断熱部の内側に孔が保冷庫本体２５の天面２６の開口２７に相対して設けられている。
【０００８】
また冷却側の冷却風は、図６の矢印のように流れ、冷却器２３の周囲を発泡材などで形成した下側断熱部２８と上側断熱箱２９にて囲っている。
【０００９】
下側断熱部２８は、図７のように、連続した樹脂製ベース２２の樹脂で囲うよう形成され、保冷庫内の冷気洩れを防止している。また、下側断熱部２８の中央部は冷却器２３を設置する受け部と冷却器２３から発生する結露水を受ける露受皿３０が樹脂製ベース２２と一体化されている。
【００１０】
結露水は露受皿３０から自然に排熱側へ流す構造となっている。排熱側には露受皿３０から流れてきた結露水を受けためておくための蒸発部３１が設けられており、圧縮機３２や凝縮器（図示せず）の熱と排熱循環風とで蒸発させて外部に放出する。
【００１１】
このように冷蔵ユニット２１の構成部品は一体化された樹脂製ベース２２上に設置されている。
【先行技術文献】
【特許文献】
【００１２】
【特許文献１】特開２００４−２５１６０８号公報
【発明の概要】
【発明が解決しようとする課題】
【００１３】
しかしながら、上記従来の構成では、冷却部分の内部まで樹脂製ベース２２の樹脂が回りこむため、発泡材等の下側断熱部２８に対して熱伝導度が高い樹脂を使用するため、冷却器２３で冷却された部分から下側断熱部２８の外部まで冷却され、庫外空気を冷やし樹脂表面から結露水が発生してしまう。
【００１４】
また製品の内側は樹脂製ベース２２が連続して一体化されているため、結露水を受けるように皿上に形成することで結露水を内側にためることが出来るが、製品の外側に当たる部分で、外部に結露水が発生してしまうという課題を有していた。
【００１５】
本発明は、上記従来の課題を解決するもので、樹脂製ベースを採用し軽量化や合理化を行いながら、外殻部分に結露が発生しにくい、農産物保冷庫用冷蔵ユニットを提供することを目的とする。
【課題を解決するための手段】
【００１６】
上記目的を達成するために、本発明の農産物保冷庫用冷蔵ユニットは、農産物保冷庫の天井面に設置される農産物保冷庫用冷蔵ユニットであって、圧縮機と放熱器と前記圧縮機及び前記放熱器に送風する放熱ファンとを搭載する樹脂製のベースと、前記ベースと一体に樹脂成形され冷却器の結露水を受ける露受皿と、断熱材からなり前記冷却器及び前記露受皿を囲み前記ベースによって保持される断熱箱と、前記ベースと共に前記冷蔵ユニットの外郭を構成する外装パネルとからなり、前記外装パネルと前記断熱箱との間に前記圧縮機及び前記放熱器で暖められた風で前記ベースと前記露受皿との接続部近傍を暖めるための風路を設けたものである。
【００１７】
上記構成において、露受皿がベースと一体に樹脂成形されているため、樹脂の熱伝導の影響で、断熱箱で断熱された冷却空間（冷却器を収納し、保冷庫内の空気を冷却器で冷却するための風路が形成された空間）に面する部分が冷却された時に、ベースと露受皿との接続部近傍で、外気に触れる部分に、結露が発生しやすくなるが、外装パネルと断熱箱との間に圧縮機及び放熱器で暖められた風でベースと露受皿との接続部近傍を暖めるための風路を設けたので、外装パネルにおける断熱箱と隣接する部分と、外装パネルと断熱箱との隙間が温風で暖められて、外装パネルにおける断熱箱と隣接する部分に、結露が生じにくくなる。
【発明の効果】
【００１８】
本発明の農産物保冷庫用冷蔵ユニットは、外装パネルと断熱箱との間に圧縮機及び放熱器で暖められた風でベースと露受皿との接続部近傍を暖めるための風路を設けたので、外装パネルにおける断熱箱と隣接する部分と、外装パネルと断熱箱との隙間が温風で暖められて、外装パネルにおける断熱箱と隣接する部分に、結露が生じにくくなる。
【００１９】
また、結露防止のために、断熱箱の壁厚を厚くして樹脂の熱伝達距離を延長することによる材料コスト増大が無く、風路の形成はベースが樹脂であることから、容易に設計することができ、コストの増加になることは無い。
【図面の簡単な説明】
【００２０】
【図１】本発明の実施の形態１における農産物保冷庫用冷蔵ユニットの分解斜視図
【図２】本発明の実施の形態１における冷却部の断面図
【図３】従来の農産物保冷庫用冷蔵ユニットの分解斜視図
【図４】従来の農産物保冷庫の扉を開いた状態の外観斜視図
【図５】従来の農産物保冷庫の扉を閉じた状態の外観斜視図
【図６】図４のＡ−Ａ断面図
【図７】図３のＢ−Ｂ断面図
【発明を実施するための形態】
【００２１】
第１の発明は、農産物保冷庫の天井面に設置される農産物保冷庫用冷蔵ユニットであって、圧縮機と放熱器と前記圧縮機及び前記放熱器に送風する放熱ファンとを搭載する樹脂製のベースと、前記ベースと一体に樹脂成形され冷却器の結露水を受ける露受皿と、断熱材からなり前記冷却器及び前記露受皿を囲み前記ベースによって保持される断熱箱と、前記ベースと共に前記冷蔵ユニットの外郭を構成する外装パネルとからなり、前記外装パネルと前記断熱箱との間に前記圧縮機及び前記放熱器で暖められた風で前記ベースと前記露受皿との接続部近傍を暖めるための風路を設けたものである。
【００２２】
上記構成において、露受皿がベースと一体に樹脂成形されているため、樹脂の熱伝導の影響で、断熱箱で断熱された冷却空間（冷却器を収納し、保冷庫内の空気を冷却器で冷却するための風路が形成された空間）に面する部分が冷却された時に、ベースと露受皿との接続部近傍で、外気に触れる部分に、結露が発生しやすくなるが、外装パネルと断熱箱との間に圧縮機及び放熱器で暖められた風でベースと露受皿との接続部近傍を暖めるための風路を設けたので、外装パネルにおける断熱箱と隣接する部分と、外装パネルと断熱箱との隙間が温風で暖められて、外装パネルにおける断熱箱と隣接する部分に、結露が生じにくくなる。
【００２３】
また、結露防止のために、断熱箱の壁厚を厚くして樹脂の熱伝達距離を延長することによる材料コスト増大が無く、風路の形成はベースが樹脂であることから、容易に設計することができ、コストの増加になることは無い。
【００２４】
以下、本発明の実施の形態について、図面を参照しながら説明する。なお、この実施の形態によって本発明が限定されるものではない。
【００２５】
（実施の形態１）
図１は、本発明の第一の実施の形態における農産物保冷庫用冷蔵ユニットの分解斜視図を示すものである。図２は、同実施の形態の農産物保冷庫用冷蔵ユニットにおける冷却部の断面図を示すものである。
【００２６】
図１、図２に示すように本実施の形態における農産物保冷庫用冷蔵ユニットは、下部に位置し冷蔵ユニットの構成部品を設置する樹脂製ベース３と、発泡断熱材からなり冷却器５の下側を断熱し外周面と上面の大部分が樹脂製ベース３によって覆われる下側断熱部４と、発泡断熱材からなり下側断熱部４の上に樹脂製ベース３と嵌合して配置され下側断熱部４と共に冷却器５を断熱する上側断熱部２と、樹脂製ベース３と共に冷蔵ユニットの外郭を構成する外装パネル１とを備える。
【００２７】
冷却器５の下側且つ下側断熱部４の上側で冷却器５の結露水を受ける露受皿７は、樹脂製ベース３と一体に樹脂成形されている。
【００２８】
樹脂製ベース３は、樹脂製ベース３の下に入り込む下側断熱部４により、冷却器５や冷却ファン６を載せ、冷却器５から発生する結露水を受ける露受皿７を支えるような構成となっている。
【００２９】
露受皿７は結露水を冷却部から排出する凹みをもち冷却器５の風流入出部を除いて樹脂製ベース３と接合される。排水部分は、結露水を圧縮機１０や放熱器９の熱で蒸発させる
ために蒸発皿部１１に接続される構成としている。
【００３０】
樹脂製ベース３は、上側断熱部２と下側断熱部４との嵌合部で下側断熱部４を囲うように構成され上側断熱部２と下側断熱部４で挟み込む構成としている。上側断熱部２と下側断熱部４とで断熱箱を構成している。
【００３１】
また、樹脂製ベース３と外装パネル１との間は、隙間１２を設けており、放熱ファン８により放熱器９と圧縮機１０の熱を受け取った温風が放熱ファン８の風圧により、樹脂製ベース３の周りの隙間１２を通りぬけることができる。
【００３２】
以上のように構成された農産物保冷庫用冷蔵ユニットについて、その動作、作用を説明する。
【００３３】
上側断熱部２と下側断熱部４とで構成される断熱箱の内部空間にある露受皿７の上方の冷却器５が冷たくなると、露受皿７を伝わり、樹脂製ベース３における上側断熱部２と下側断熱部４で挟み込まれた部分を介して、樹脂製ベース３の外側まで熱伝導により冷やされる。
【００３４】
一方で、放熱器９用の放熱ファン８は外気を取り入れ放熱器９に風を通した後、圧縮機１０に流し圧縮機１０の熱を取った後、通常はそのまま外部に放出するが、一部の熱風は外装パネル１と樹脂製ベース３の隙間１２に流れ込み樹脂製ベース３を暖めながら循環し、放熱器９設置部と逆側に排気される。
【００３５】
すなわち、樹脂製ベース３における熱伝導にて冷却され周囲の空気の温度との差が大きい部分には結露が発生しやすいが、その結露が発生しやすい部分に、放熱器９と圧縮機１０との熱交換で暖められた温風を流して暖められることで結露の発生を抑えることができる。
【００３６】
以上のように、本実施の形態においては、農産物保冷庫の天井面に設置される農産物保冷庫用冷蔵ユニットであって、圧縮機１０と放熱器９と圧縮機１０及び放熱器９に送風する放熱ファン８とを搭載する樹脂製ベース３と、樹脂製ベース３と一体に樹脂成形され冷却器５の結露水を受ける露受皿７と、断熱材からなり冷却器５と冷却ファン６と露受皿７を囲み樹脂製ベース３によって保持される断熱箱（上側断熱部２と下側断熱部４）と、樹脂製ベース３と共に冷蔵ユニットの外郭を構成する外装パネル１とからなり、外装パネル１と断熱箱（下側断熱部４）との間に圧縮機１０及び放熱器９で暖められた風で樹脂製ベース３と露受皿７との接続部近傍となる下側断熱部４の外周面を覆う部分を暖めるための風路（隙間１２）を設けたものである。
【００３７】
上記構成において、樹脂製ベース３は、露受皿７と一体に樹脂成形され、下側断熱部４における上側断熱部２との嵌合部と下側断熱部４の外周面を覆うように構成され上側断熱部２と下側断熱部４で挟み込まれているため、樹脂製ベース３を構成する樹脂の熱伝導の影響で、上側断熱部２と下側断熱部４で構成された断熱箱で断熱された冷却空間（冷却器５を収納し、保冷庫内の空気を冷却器５で冷却するための風路が形成された空間）に面する部分が冷却された（露受皿７が冷却器５により冷却された）時に、樹脂製ベース３と露受皿７との接続部近傍となる下側断熱部４の外周面を覆う部分（外気に触れる部分）は周囲の空気の温度との差が大きいために、結露が発生しやすくなる。
【００３８】
しかし、外装パネル１と断熱箱（下側断熱部４）との間に、圧縮機１０及び放熱器９で暖められた風で樹脂製ベース３と露受皿７との接続部近傍となる下側断熱部４の外周面を覆う部分を暖めるための風路（隙間１２）を設けたので、外装パネル１における断熱箱（
下側断熱部４）と隣接する部分と、外装パネル１と断熱箱（下側断熱部４）との隙間１２が温風で暖められて、外装パネル１における樹脂製ベース３が下側断熱部４の外周面を覆っている部分と隣接する部分（断熱箱と隣接する部分）に、結露が生じにくくなる。
【００３９】
また、結露防止のために、断熱箱の壁厚を厚くして樹脂の熱伝達距離を延長することによる材料コスト増大が無く、風路（隙間１２）の形成は樹脂製ベース３が樹脂であることから、容易に設計することができ、コストの増加になることは無い。
【００４０】
つまり、樹脂製ベース３における断熱箱の外周となる部分に、排気される温風を流すだけなので、断熱材を大きくするなどのコストをかける必要が無く、樹脂製ベース３を使用することから、風路（隙間１２）は比較的簡単に構成することができる。
【産業上の利用可能性】
【００４１】
以上のように、本発明にかかる農産物保冷庫用冷蔵ユニットは、結露が発生しやすい樹脂製ベースに対して、容易に結露対策を採ることができるので、農産物の保冷用に限らず保冷庫本体の天面に冷蔵ユニットを設ける構造の他の保冷関連の冷蔵ユニットでも採用することができる。
【符号の説明】
【００４２】
１  外装パネル
２  上側断熱部
３  樹脂製ベース
４  下側断熱部
５  冷却器
７  露受皿
８  放熱ファン
９  放熱器
１０  圧縮機
１２  隙間
【図１】
2012211729.tif 000003
【図２】
2012211729.tif 000004
【図３】
2012211729.tif 000005
【図４】
2012211729.tif 000006
【図５】
2012211729.tif 000007
【図６】
2012211729.tif 000008
【図７】
2012211729.tif 000009